(57)【要約】      （修正有）【課題】筋力トレーニングを好適に補助して姿勢の良化を実現し得る家具を提供する。【解決手段】自立性を有した家具本体Ｃと、家具本体Ｃに設けられ床面との間に使用者Ｕの足を差し入れることのできる間隙を形成してこの使用者Ｕの足を保定する足保定部材９と、家具本体Ｃに設けられ使用者Ｕの身体荷重の一部または全部を受けて家具本体Ｃ及び足保定部材９の浮き上がりを防止する荷重受け部材６とを具備するトレーニング補助機能付の家具を構成した。この家具の使用者Ｕは、自身の足を足保定部材９の直下に差し入れて足を保定させ、その状態で骨盤を前方に回転させる股関節屈曲運動を行う。日常的な股関節屈曲運動を通じて、股関節屈曲筋群を強化、ひいては真っ直ぐに座った正しい姿勢を維持する能力を養うことができる。【選択図】図１４
2011000275.tif 000002
【特許請求の範囲】
【請求項１】
自立性を有した家具本体と、
家具本体に設けられ床面との間に使用者の足を差し入れることのできる間隙を形成してこの使用者の足を保定する足保定部材と、
家具本体に設けられ使用者の身体荷重の一部または全部を受けて家具本体及び足保定部材の浮き上がりを防止する荷重受け部材と
を具備するトレーニング補助機能付の家具。
【請求項２】
着座する使用者によって使用されるものであり、
前記足保定部材が前記荷重受け部材よりも使用者から見て前方に位置し、着座姿勢の使用者の足が足保定部材と床面との間隙に差し入る請求項１記載の家具。
【請求項３】
前記家具本体が天板付家具である請求項１または２記載の家具。
【請求項４】
前記荷重受け部材が使用者の足に踏まれる位置にある請求項１、２または３記載の家具。
【請求項５】
前記荷重受け部材を前後方向に変位させることができる請求項１、２、３または４記載の家具。
【請求項６】
前記荷重受け部材を前記家具本体から取り外すことができる請求項１、２、３、４または５記載の家具。
【請求項７】
前記荷重受け部材は使用者から見て前端側を中心に回動可能であるように前記家具本体に支持されており、床面上に載置した使用位置と、その使用位置から前方に跳ね上げた退避位置とを選択的にとり得る請求項１、２、３、４または５記載の家具。
【請求項８】
前記荷重受け部材が使用者の臀部を支持する座である請求項１または２記載の家具。
【請求項９】
前記足保定部材を前後方向に変位させることができる請求項１、２、３、４、５、６または８記載の家具。
【請求項１０】
請求項６記載の家具を構成するために用いられるものであって、
前記家具本体に対して着脱自在であり、家具本体に取り付けられた状態で使用者の身体荷重の一部または全部を受けて家具本体及び前記足保定部材の浮き上がりを防止する荷重受け部材。
【請求項１１】
使用者の足に踏まれる踏面部と、
前記踏面部から上方に突き出しており前記家具本体に設けられた前記足保定部材となる部材に上方から係合する係合部と
を備えている請求項１０記載の荷重受け部材。
【発明の詳細な説明】
【技術分野】
【０００１】
本発明は、姿勢を正すための筋力トレーニングを補助する機能を付帯させた家具に関する。
【背景技術】
【０００２】
学校その他の教育施設において児童生徒が使用する学習用の机や椅子が周知である（例えば、下記特許文献を参照）。この種の家具は、一人につき一基づつ割り当てられるものであり、大量供給の都合上、安全性及び耐久性に配慮しつつシンプルな構造であることが多い。
【０００３】
近年、子供達の姿勢が悪くなった、との指摘が増えている。遊びを含む活動の屋内化に伴う運動量の低下が、その一因と考えられる。姿勢の悪化は骨格や筋肉、内臓に余計な負担をかけ、身体に悪影響を及ぼすおそれがある。子供達の筋力強化を日常的に促し、正しい姿勢を一定時間維持できる力を身につけさせたいという要求が高まっていると言える。
【先行技術文献】
【特許文献】
【０００４】
【特許文献１】特開２００６−１５８９４０号公報
【特許文献２】特開２００１−０９５６４３号公報
【発明の概要】
【発明が解決しようとする課題】
【０００５】
以上の問題に鑑みてなされた本発明は、筋力トレーニングを好適に補助して姿勢の良化を実現し得る家具を提供しようとするものである。
【課題を解決するための手段】
【０００６】
本発明では、自立性を有した家具本体と、家具本体に設けられ床面との間に使用者の足を差し入れることのできる間隙を形成してこの使用者の足を保定する足保定部材と、家具本体に設けられ使用者の身体荷重の一部または全部を受けて家具本体及び足保定部材の浮き上がりを防止する荷重受け部材とを具備するトレーニング補助機能付の家具を構成した。
【０００７】
姿勢を正すために必要となる筋肉としては、腸腰筋（大腰筋、腸骨筋）、大腿直筋、大腿筋膜腸筋等の股関節屈曲筋群を挙げることができる。これら股関節屈曲筋群の収縮を通じて骨盤を前方に回転させる、換言すれば骨盤を立てることで、脊椎伸展の準備が整う。本発明は、このような股関節屈曲筋群のトレーニングを補助するものである。即ち、使用者は、自身の足を足保定部材の直下に差し入れて足を保定させ、その状態で骨盤を前方に回転させる股関節屈曲運動を行うのである。
【０００８】
特に、着座する使用者によって使用される家具であり、前記足保定部材が前記荷重受け部材よりも使用者から見て前方に位置し、着座姿勢の使用者の足が足保定部材と床面との間隙に差し入るものとすれば、椅座位姿勢での股関節屈曲運動を好適に補助することができる。そして、日常的な股関節屈曲運動を通じて、股関節屈曲筋群を強化、ひいては真っ直ぐに座った正しい姿勢を維持する能力を養うことが可能になる。
【０００９】
前記家具本体は、例えば、机や棚、パソコンラック等の天板付家具とする。
【００１０】
前記荷重受け部材が使用者の足に踏まれる位置にあれば、足の甲を足保定部材にかけ、足の裏で荷重受け部材を踏まえながら股関節屈曲運動を行うことができ、利便性が高い。
【００１１】
前記荷重受け部材を前後方向に変位させることができれば、使用者の体格または足の前後サイズに合わせて荷重受け部材の位置を調整することができ、成長期にある児童生徒による使用にふさわしいものとなる。
【００１２】
前記荷重受け部材を前記家具本体から取り外すことができれば、トレーニングを行わない間これを取り外し、使用者の足を置くスペースを拡げることができる。また、荷重受け部材が椅子の脚等と干渉することも避けられる。
【００１３】
あるいは、前記荷重受け部材が使用者から見て前端側を中心に回動可能であるように前記家具本体に支持され、床面上に載置した使用位置と、その使用位置から前方に跳ね上げた退避位置とを選択的にとり得るものとしても、同様の効果を得られる。
【００１４】
本発明を、椅子に適用することもできる。その場合、使用者の臀部を支持する座が、荷重受け部材としての役割を担う。
【００１５】
前記足保定部材を前後方向に変位させることができれば、使用者の体格に合わせて足保定部材の位置を調整することができ、やはり成長期にある児童生徒による使用にふさわしいものとなる。加えて、トレーニングを行わない間、足保定部材を後方に退避させることも可能となる。
【００１６】
また、前記家具本体に対して着脱自在であり、家具本体に取り付けられた状態で使用者の身体荷重の一部または全部を受けて家具本体及び前記足保定部材の浮き上がりを防止する荷重受け部材を構成すれば、既製の学習机等にこれを組み合わせてトレーニング補助機能を付与することができる。
【００１７】
このような荷重受け部材は、例えば、使用者の足に踏まれる踏面部と、前記踏面部から上方に突き出しており前記家具本体に設けられた前記足保定部材となる部材に上方から係合する係合部とを備えてなる。
【発明の効果】
【００１８】
本発明によれば、筋力トレーニングを好適に補助して姿勢の良化を実現し得る家具が具現される。この家具を用いた日常的な股関節屈曲運動を通じて、股関節屈曲筋群を強化、ひいては真っ直ぐに座った正しい姿勢を維持する能力を養うことが可能になる。
【図面の簡単な説明】
【００１９】
【図１】本発明の一実施形態の天板付家具を示す斜視図。
【図２】同天板付家具の側面図。
【図３】同天板付家具の要部分解斜視図。
【図４】同天板付家具の使用態様を示す側断面図。
【図５】同天板付家具の使用態様を示す側断面図。
【図６】本発明の一実施形態の天板付家具を示す斜視図。
【図７】同天板付家具の側断面図。
【図８】同天板付家具の側断面図。
【図９】本発明の一実施形態の天板付家具を示す斜視図。
【図１０】同天板付家具の側断面図。
【図１１】同天板付家具の分解斜視図。
【図１２】本発明の一実施形態の椅子を示す斜視図。
【図１３】同椅子の側面図。
【図１４】同椅子の使用態様を示す側断面図。
【発明を実施するための形態】
【００２０】
本発明の実施の形態を、図面を参照して説明する。なお、説明の簡明化のため、家具Ｄ、Ｃの使用者Ｕから見て前の方向を前方と定義する。
【００２１】
＜第一実施形態＞図１ないし図５に示すものは、本発明の一実施形態の天板付家具Ｄである。本実施形態の天板付家具Ｄは、学校その他の教育施設において児童生徒が使用する学習机である。
【００２２】
天板付家具Ｄは、左右に対をなす脚２に棚３及び天板１を支持させてなる。脚２は、前後方向に延伸したベース２１と、ベース２１から立ち上がる脚支柱２２と、左右のベース２１の前端部同士を連結する連結フレーム２３とを主要な構成要素とする金属製の部材である。脚支柱２２は、その上部２１が下部２２に対して上下動するテレスコピック構造をなしており、伸縮可能である。脚支柱２２の上端部位の外側面には、荷物をかけることのできるフック２２３を設けている。
【００２３】
棚３は、板金材をプレス加工する等して底板３１、前板３２及び左右の側板３３を成形したもので、上方及び後方に開放した内部空間を包有する。棚３は、左右の脚支柱２２の上端部位の内側面間に配置する。
【００２４】
天板１は、メラミン化粧板貼りのゴム合板製の部材である。天板１は、脚支柱２２並びに棚３の前板３２及び側板３３の上端に載置して固着する。天板１は、棚３の内部空間を上方から閉塞する。
【００２５】
しかして、この天板付家具Ｄに、足保定部材４及び荷重受け部材５を取り付けて、股関節屈曲筋群のトレーニングを補助する機能を付与している。
【００２６】
足保定部材４は、トレーニングの際に使用者Ｕの足を上から抑えて保定する役割を担う。足保定部材４は、床面から浮いた状態とし、床面との間に使用者Ｕの足を差し入れることのできる間隙を形成する。足保定部材４は、左右方向に延伸した丸パイプ状（または、丸棒状）をなし、その左右両端にそれぞれ取付ブラケット４１を備える。取付ブラケット４１は、丸パイプ（丸棒）に直交するように左右方向を向いた薄板体である。
【００２７】
荷重受け部材５は、使用者Ｕの身体荷重の一部または全部を受けて、トレーニングの際に家具本体Ｄ及び足保定部材４の浮き上がりを防止する役割を担う。本実施形態では、足保定部材４と床面との間隙に差し入れられた使用者Ｕの足により、荷重受け部材５が踏まれるようにしている。即ち、荷重受け部材５を足保定部材４よりも低位置（特に、床面近傍）に、かつ足保定部材４の後背に配置している。荷重受け部材５もまた、足保定部材４と同様、左右方向に延伸した丸パイプ状をなし、その左右両端にそれぞれ取付ブラケット５１を備える。
【００２８】
他方、天板付家具Ｄの脚２には、取付ブラケット４１、５１と接合してこれを支持するための支持ブラケット２４を設けている。支持ブラケット２４は、左右方向を向いた薄板体であって、ベース２１に沿うように前後に拡張している。支持ブラケット２４は、左右のベース２１の内側面にそれぞれ溶接等により固着する。左右に対をなす支持ブラケット２４の離間距離は、左右に対をなす取付ブラケット４１、５１の外側面間の距離に略等しい。
【００２９】
足保定部材４及び荷重受け部材５の取り付けにあたっては、取付ブラケット４１、５１の外側面を支持ブラケット２４の内側面に当接させた上、取付ブラケット４１、５１と支持ブラケット２４とを締着材２６、２７によって圧着する。締着材は、例えば、ボルト２６とナット（袋ナット）２７との組とする。
【００３０】
図３等に示しているように、取付ブラケット４１、５１には、ボルト２６を挿通する複数の挿通孔４２、５２を、前後方向に間欠的に穿っている。左右の取付ブラケット４１、５１の挿通孔４２、５２は、左右対称に位置する。
【００３１】
支持ブラケット２４には、ボルト２６を挿通する上下に拡張した多数の長孔２５を、前後方向に間欠的に穿っている。左右の支持ブラケット２４の長孔２５も、左右対称に位置する。上下に拡張した長孔２５としているのは、足保定部材４及び荷重受け部材５の取付高さ位置を調整可能とするためである。さらに、長孔２５は鉛直方向からやや前傾している。このように長孔２５が傾斜していると、ボルト２６とナット２７との締結が若干緩んだときに、使用者Ｕの足から外力の作用を受けた足保定部材４が上方に動いてずれてしまうのを予防することができる。
【００３２】
取付ブラケット４１、５１に穿った複数の挿通孔４２、５２の前後方向のピッチは、支持ブラケット２４に穿った複数の長孔２５の前後方向のピッチの整数倍である。なお、図示例に反し、取付ブラケット４１、５１に傾斜長孔を穿ち、支持ブラケット２４に挿通孔を穿つようにしてもよい。
【００３３】
挿通孔４１、５１を長孔２５に側面視重ね合わせるようにして取付ブラケット４１、５１を支持ブラケット２４に当接させ、挿通孔４２、５２及び長孔２５にボルト２６を挿通し、そのボルト２６の軸部にナット２７を螺合緊締すれば、取付ブラケット４１、５１と支持ブラケット２４とを圧着することができる。これにより、足保定部材４や荷重受け部材５を脚２に固定することができる。足保定部材４や荷重受け部材５を脚２から取り外したければ、ナット２７をボルト２６から離脱させた後、ボルト２６を挿通孔４２、５２及び長孔２５から抜出すればよい。
【００３４】
支持ブラケット２４側の孔２５の個数は取付ブラケット４１、５１側の孔４２、５２の個数よりも多いため、足保定部材４、荷重受け部材５の各々の取付位置を前後方向に変位させることができる。加えて、既に述べた通り、長孔２５が上下方向に拡張していることから、ボルト２６の締着位置を上下方向に変位させることができる。つまり、足保定部材４、荷重受け部材５の各々の取付位置を上下方向に変位させることもできる。
【００３５】
股関節屈曲筋群のトレーニング時、使用者Ｕは、図４に示すように、椅子等に着座しつつ、自身の足を足保定部材４の直下に差し入れ、同時にその足を荷重受け部材５に載せる。そして、骨盤を前方に回転させる股関節屈曲運動を行う。
【００３６】
因みに、図５に示すように、床上で仰臥した姿勢から上体を起こす上体起こし（シットアップ）運動を行うこともできる。上体起こし運動の際、天板１等が邪魔になるのであれば、脚支柱上部２２１を脚支柱下部２２２から離脱させて、脚支柱上部２２１、棚３及び天板１を取り除いてもよい。
【００３７】
本実施形態によれば、自立性を有した家具本体Ｄと、家具本体Ｄに設けられ床面との間に使用者Ｕの足を差し入れることのできる間隙を形成してこの使用者Ｕの足を保定する足保定部材４と、家具本体Ｄに設けられ使用者Ｕの身体荷重の一部または全部を受けて家具本体Ｄ及び足保定部材４の浮き上がりを防止する荷重受け部材５とを具備するトレーニング補助機能付の家具を構成したため、使用者Ｕは自身の足を足保定部材４直下の間隙に差し入れて足を保定させ、下半身を安定させた状態で骨盤を前方に回転させる股関節屈曲運動を行うことができる。
【００３８】
着座する使用者Ｕによって使用される家具であり、前記足保定部材４が前記荷重受け部材５よりも使用者Ｕから見て前方に位置し、着座姿勢の使用者Ｕの足が足保定部材４と床面との間隙に差し入るものとしているため、椅座位姿勢での股関節屈曲運動を好適に補助することができる。そして、日常的な股関節屈曲運動を通じて、股関節屈曲筋群を強化、ひいては真っ直ぐに座った正しい姿勢を維持する能力を養うことが可能になる。
【００３９】
前記家具本体が天板付家具Ｄであることから、非トレーニング時にも家具として有効に活用でき、また常日頃から椅座位姿勢での股関節屈曲運動を行うことが可能となる。
【００４０】
前記荷重受け部材５が使用者Ｕの足に踏まれる位置にあるため、足の甲を足保定部材４にかけ、足の裏で荷重受け部材５を踏まえながら股関節屈曲運動を行うことができ、利便性が高い。
【００４１】
前記足保定部材４、前記荷重受け部材５は各々前後方向に変位可能であり、使用者Ｕの体格または足の前後サイズに合わせてこれら部材４、５の位置を調整することができる。
【００４２】
のみならず、前記足保定部材４、前記荷重受け部材５は各々上下方向にも変位可能であり、足の上下厚みに合わせてこれら部材４、５の位置を調整することもできる。従って、成長期にある児童生徒による使用にふさわしいものとなっている。
【００４３】
前記荷重受け部材５を前記家具本体Ｄから取り外すことが可能であるので、トレーニングを行わない間はこれを取り外し、使用者Ｕの足を置くスペースを拡げることができる。荷重受け部材５が椅子の脚等と干渉することも避けられる。
【００４４】
＜第二実施形態＞図６ないし図８に示す第二実施形態は、荷重受け部材５の形状、並びに荷重受け部材３の脚２への組み付けの構造を変更したものである。以下、第一実施形態との相違点に主眼を置いて述べる。
【００４５】
本実施形態において、足保定部材４は、左右両端がそれぞれ脚支柱２２の下端部位の内側面に溶接等により連結して固定している。足保定部材４は、床面から浮いている。この足保定部材４は、左右の脚支柱２２同士を連結する連結フレームとしても機能する。
【００４６】
荷重受け部材５は、前後左右に拡張した板状体である。この荷重受け部材５の左右両側縁からは側壁５３がそれぞれ起立し、各側壁５３の前端部において、左右方向に開通した軸孔を有する軸受５４を上方に突き出させるように設けてある。軸受５４は、左右に離間して対をなす。荷重受け部材５は、軸受５４の軸孔に足保定部材４を挿通する形で、この足保定部材４を介して脚支柱２２に支持させる。荷重受け部材５は、軸受５４のある前端側を中心として、足保定部材４の軸回りに前後に回動可能となる。
【００４７】
股関節屈曲筋群のトレーニング時、使用者Ｕは、図７に示しているように、荷重受け部材５を後方に回動させてこれを床面上に載置する。図７の使用位置にある荷重受け部材５は、足保定部材４よりも低位置にあり、足保定部材４の後背に所在する。そして、使用者Ｕは、自身の足を足保定部材４の直下に差し入れつつ、その足を荷重受け部材５に載せて、骨盤を前方に回転させる股関節屈曲運動を行う。
【００４８】
トレーニングを行わない間は、図８に示しているように、荷重受け部材５を前方に回動させて天板付家具Ｄの下肢空間から退避させる。図８の退避位置に荷重受け部材５を位置づけることで、荷重受け部材５が使用者Ｕの足や椅子の脚２等と干渉する不都合を回避できる。
【００４９】
本実施形態によれば、前記荷重受け部材５が使用者Ｕから見て前端側を中心に回動可能であるように前記家具本体Ｄに支持され、床面上に載置した使用位置と、その使用位置から前方に跳ね上げた退避位置とを選択的にとり得るように構成したため、トレーニングを行わない間は荷重受け部材５を退避位置に退避させて使用者Ｕの足を置くスペースを拡げることができる。また、荷重受け部材５が椅子の脚２等と干渉することも避けられる。
【００５０】
その他、第一実施形態において述べた効果を奏し得ることは言うまでもない。
【００５１】
＜第三実施形態＞図９ないし図１１に示す第三実施形態は、荷重受け部材５を脚２に対して着脱自在としたものである。以下、第二実施形態との相違点に主眼を置いて述べる。
【００５２】
本実施形態において、荷重受け部材５は、前後左右に拡張した板状の踏面部５５と、踏面部５５から上方に突き出しており前記足保定部材４に上方から係合する係合部５７とを備えてなる。係合部５７は、踏面部５５の左右両側縁から起立した側壁５６の前端部に設けており、左右に離間して対をなす。係合部５７には、前縁を開放しそこから後上方に向けて切り欠いた開口５７１を形成してある。
【００５３】
股関節屈曲筋群のトレーニング時、使用者Ｕは、図１０に示しているように、開口５７１に足保定部材４を挿入し、くわえ込ませるようにして係合部５７を足保定部材４の外周に係合させる。荷重受け部材５の踏面部５５は床面上に載置され、足保定部材４よりも低位置に、かつ足保定部材４の後背に所在する。そして、使用者Ｕは、自身の足を足保定部材４の直下に差し入れつつ、その足を荷重受け部材５に載せて、骨盤を前方に回転させる股関節屈曲運動を行う。
【００５４】
トレーニングを行わない間は、係合部５７の開口から足保定部材４を抜出し、荷重受け部材５を取り除く。さすれば、天板付家具Ｄの下肢空間が解放されて、荷重受け部材５が使用者Ｕの足や椅子の脚２等と干渉する不都合を回避できる。
【００５５】
本実施形態によれば、荷重受け部材５が前記家具本体に対して着脱自在であり、家具本体Ｄに取り付けられた状態で使用者Ｕの身体荷重の一部または全部を受けて家具本体Ｄ及び前記足保定部材４の浮き上がりを防止するものとなっているため、トレーニングを行わない間これを取り外し、使用者Ｕの足を置くスペースを拡げることができる。また、荷重受け部材５が椅子の脚２等と干渉することも避けられる。
【００５６】
荷重受け部材５は、使用者Ｕの足に踏まれる踏面部５５と、前記踏面部５５から上方に突き出しており前記家具本体Ｄに設けられた前記足保定部材４となる部材に上方から係合する係合部５７とを備えてなる。このような荷重受け部材５を、床面から浮いた状態に固定された部材４（典型的には、左右方向に延伸し左右の脚２を相互連結するフレームやパイプ等）を有している既製の学習机等に組み合わせれば、当該学習机等に後付けでトレーニング補助機能を付与することができる。
【００５７】
その他、第一実施形態において述べた効果を奏し得ることは言うまでもない。
【００５８】
＜第四実施形態＞図１２ないし図１４に示すものは、本発明の一実施形態の椅子Ｃである。本実施形態の椅子Ｃは、学校その他の教育施設において児童生徒が使用する椅子である。
【００５９】
椅子Ｃは、左右に対をなす脚７に座６及び背凭れ８を支持させてなる。脚７は、前後方向に延伸したベース７１と、ベース７１から立ち上がる脚支柱７２と、左右の脚支柱７２の下端部同士を連結する連結フレーム７３とを主要な構成要素とする金属製の部材である。脚支柱７２は、その上部７２１が下部７２２に対して上下動するテレスコピック構造をなしており、伸縮可能である。
【００６０】
脚支柱７２の上端には、座受６１を兼ねる背支桿８１を固着している。背支桿８１は、金属パイプ材（または、棒材）を曲げ加工して背面視略Π字型に成形し、その下端から連続して前方に伸長する座受６１を設けたものである。左右に対をなす座受６１は、左右方向に延伸した横架材６２により連結している。
【００６１】
座６及び背凭れ８は、インジェクション成形により作製した合成樹脂製の部材である。
【００６２】
本実施形態では、座６が、使用者Ｕの身体荷重を受ける荷重受け部材となる。しかして、この椅子Ｃに、足保定部材９を別途設けて、股関節屈曲筋群のトレーニングを補助する機能を付与している。
【００６３】
足保定部材９は、座６の前方、着座した使用者Ｕの足下に所在する。足保定部材９は、左右方向に延伸した丸パイプ状（または、丸棒状）をなし、その左右両端部にそれぞれ支持フレーム９１を備える。支持フレーム９１は、前後方向に延伸するとともに、前端部で上方に湾曲する。足保定部材９は、この支持フレーム９１の前端に連結して固定している。支持フレーム９１は、足保定部材９を床面から浮いた状態に支持する。
【００６４】
図１３及び図１４に示しているように、足保定部材９及び支持フレーム９１は、前後方向に変位可能である。本実施形態では、支持フレーム９１とベース７１とでテレスコピック構造を構築しており、筒状体のベース７１内から支持フレーム９１を引き出すことで足保定部材９を前方に移動させ、ベース７１内に支持フレーム９１を押し入れることで足保定部材９を後方に移動させることができる。ベース７１から支持フレーム９１を完全に抜出して、足保定部材９を取り除くことも可能である。
【００６５】
股関節屈曲筋群のトレーニング時、使用者Ｕは、図１４に示すように、座６に臀部を載せて着座し、自身の足を足保定部材９の直下に差し入れる。そして、骨盤を前方に回転させる股関節屈曲運動を行う。
【００６６】
本実施形態によれば、自立性を有した家具本体Ｃと、家具本体Ｃに設けられ床面との間に使用者Ｕの足を差し入れることのできる間隙を形成してこの使用者Ｕの足を保定する足保定部材９と、家具本体Ｃに設けられ使用者Ｕの身体荷重の一部または全部を受けて家具本体Ｃ及び足保定部材９の浮き上がりを防止する荷重受け部材６とを具備するトレーニング補助機能付の家具を構成したため、使用者Ｕは自身の足を足保定部材９直下の間隙に差し入れて足を保定させ、下半身を安定させた状態で骨盤を前方に回転させる股関節屈曲運動を行うことができる。
【００６７】
着座する使用者Ｕによって使用される家具であり、前記足保定部材９が前記荷重受け部材６よりも使用者Ｕから見て前方に位置し、着座姿勢の使用者Ｕの足が足保定部材９と床面との間隙に差し入るものとしているため、椅座位姿勢での股関節屈曲運動を好適に補助することができる。そして、日常的な股関節屈曲運動を通じて、股関節屈曲筋群を強化、ひいては真っ直ぐに座った正しい姿勢を維持する能力を養うことが可能になる。
【００６８】
前記家具本体Ｃが椅子であることから、非トレーニング時にも家具として有効に活用でき、また常日頃から椅座位姿勢での股関節屈曲運動を行うことが可能となる。
【００６９】
前記足保定部材９は前後方向に変位可能であり、使用者Ｕの体格または足の前後サイズに合わせて部材９の位置を調整することができる。
【００７０】
のみならず、前記荷重受け部材６は上下方向に変位可能であり、使用者Ｕの体躯に合わせて部材６の位置を調整することもできる。従って、成長期にある児童生徒による使用にふさわしいものとなっている。
【００７１】
前記足保定部材９を前記家具本体Ｃから取り外すことが可能であるので、トレーニングを行わない間はこれを取り外し、使用者Ｕの足を置くスペースを拡げることができる。足保定部材９が机の脚等と干渉することも避けられる。
【００７２】
なお、本発明は以上に詳述した実施形態に限られるものではない。各部の具体的な構成は、本発明の趣旨を逸脱しない範囲で種々変形が可能である。また、特に、家具本体の機能は、机や椅子には限定されない。
【産業上の利用可能性】
【００７３】
本発明は、例えば、学校その他の教育施設における児童生徒のための学習机や椅子として利用することができる。
【符号の説明】
【００７４】
Ｄ…家具本体（天板付家具）
４…足保定部材
５…荷重受け部材
Ｃ…家具本体（椅子）
６…荷重受け部材（座）
９…足保定部材
【図１】
2011000275.tif 000003
【図２】
2011000275.tif 000004
【図３】
2011000275.tif 000005
【図４】
2011000275.tif 000006
【図５】
2011000275.tif 000007
【図６】
2011000275.tif 000008
【図７】
2011000275.tif 000009
【図８】
2011000275.tif 000010
【図９】
2011000275.tif 000011
【図１０】
2011000275.tif 000012
【図１１】
2011000275.tif 000013
【図１２】
2011000275.tif 000014
【図１３】
2011000275.tif 000015
【図１４】
2011000275.tif 000016